(57)【要約】【課題】  縦型水耕栽培ハウスの夏場における養液温度の上昇を防止することができると共に、縦型水耕栽培ハウス内の湿度に影響を与えることなしに暖房又は冷房効果を得ることができる縦型水耕栽培ハウスにおける空調システム及び空調方の提供。【解決手段】  ビニール、プラスチック、ガラス等の太陽光を透過する素材で覆った半閉鎖型のハウス１内に複数の縦型水耕栽培筒４を備え、複数の縦型水耕栽培筒４は、架台２上に配置された鋼製の吊下パイプ３に吊下げられ、吊下パイプ３に沿って各縦型水耕栽培筒４内の培地５に給液ポンプ９から養液１０を供給する養液チューブ８が配設され、吊下パイプ８内には温水又は冷水が供給される。【選択図】      図２
2020048452.tif 000002
【特許請求の範囲】
【請求項１】
ビニール、プラスチック、ガラス等の太陽光を透過する素材で覆った半閉鎖型のハウス内に高さを要する複数の縦型の水耕栽培設備を備え、
前記複数の縦型の水耕栽培設備は、架台上に配置された吊下パイプに吊下げられ、
前記吊下パイプに沿って各縦型の水耕栽培設備に養液供給手段から養液を供給する養液チューブが配設され、
前記吊下パイプ内に温水又は冷水が供給されていることを特徴とする縦型水耕栽培ハウスにおける空調システム。
【請求項２】
請求項１記載の水耕栽培ハウスにおける空調システムにおいて、
前記吊下パイプ内に供給される温水又は冷水の循環流路中に温水又は冷水の温度をコントロールするチラーが介挿されていることを特徴とする水耕栽培ハウスにおける空調システム。
【請求項３】
請求項１又は２に記載の縦型水耕栽培ハウスにおける空調システムにおいて、
前記縦型の水耕栽培設備は、内部に培地を収容した縦長の筒体の少なくとも一側面に植物の苗を植え込むための垂直方向のスリット又は開口部を備えた複数の縦型水耕栽培筒で構成されていることを特徴とする縦型水耕栽培ハウスにおける空調システム。
【請求項４】
請求項３記載の縦型水耕栽培ハウスにおける空調システムにおいて、
前記縦型水耕栽培ハウスには、養液収容タンクと、該養液収容タンクから前記養液チューブを介して培地に養液を供給する養液供給手段と、培地に供給された養液を養液収容タンクに回収する養液回収手段と、を備えることを特徴とする縦型水耕栽培ハウスにおける空調システム。
【請求項５】
請求項３又は４に記載の縦型水耕栽培ハウスにおける空調システムにおいて、
前記培地は、保水性シートとその両面を挟み込んだ通気性素材とで構成され、前記縦型水耕栽培筒内に抜き差し可能に収容されていることを特徴とする縦型水耕栽培ハウスにおける空調システム。
【請求項６】
ビニール、プラスチック、ガラス等の太陽光を透過する素材で覆った半閉鎖型のハウス内の床面に高さを要する複数の縦型の水耕栽培設備を備え、
前記縦型の水耕栽培設備の上部に沿って配置されたチューブ内に温水又は冷水が供給され、
前記チューブに沿って縦型の水耕栽培設備に養液供給手段から養液を供給する養液チューブが配設されていることを特徴とする縦型水耕栽培ハウスにおける空調システム。
【請求項７】
ビニール、プラスチック、ガラス等の太陽光を透過する素材で覆った半閉鎖型のハウス内に高さを要する多段式ラック水耕栽培設備を備え、
前記多段式ラック水耕栽培設備の上部に沿って配置されたチューブ内に温水又は冷水が供給され、
前記チューブに沿って多段式ラック水耕栽培設備に養液供給手段から養液を供給する養液チューブが配設されていることを特徴とする縦型水耕栽培ハウスにおける空調システム。
【請求項８】
ビニール、プラスチック、ガラス等の太陽光を透過する素材で覆った半閉鎖型のハウス内に高さを要する複数の縦型の水耕栽培設備を備え、
前記複数の縦型の水耕栽培設備は、架台上に配置した吊下パイプに吊下げ、
前記吊下パイプに沿って各縦型の水耕栽培設備に養液を供給する養液チューブを配設し、
前記吊下パイプ内に温水又は冷水を供給することを特徴とする縦型水耕栽培ハウスにおける空調方法。
【請求項９】
請求項８記載の縦型水耕栽培ハウスにおける空調方法において、
前記吊下パイプ内に供給される温水又は冷水の循環流路中に温水又は冷水の温度をコントロールするチラーを介挿することを特徴とする縦型水耕栽培ハウスにおける空調方法。
【請求項１０】
請求項８又は９に記載の縦型水耕栽培ハウスにおける空調方法において、
前記縦型の水耕栽培設備は、内部に培地を収容した縦長の筒体の少なくとも一側面に植物の苗を植え込むための垂直方向のスリット又は開口部を備えた複数の縦型水耕栽培筒で構成することを特徴とする縦型水耕栽培ハウスにおける空調方法。
【請求項１１】
請求項１０記載の縦型水耕栽培ハウスにおける空調方法において、
前記縦型水耕栽培ハウスには、養液収容タンクと、該養液収容タンクから前記養液チューブを介して培地に養液を供給する養液供給手段と、培地に供給された養液を養液収容タンクに回収する養液回収手段と、を備えることを特徴とする縦型水耕栽培ハウスにおける空調方法。
【請求項１２】
請求項１０又は１１に記載の縦型水耕栽培ハウスにおける空調方法において、
前記培地５は、保水性シートとその両面を挟み込んだ通気性素材とで構成し、前記縦型水耕栽培筒内に抜き差し可能に収容することを特徴とする縦型水耕栽培ハウスにおける空調方法。
【請求項１３】
ビニール、プラスチック、ガラス等の太陽光を透過する素材で覆った半閉鎖型のハウス内の床面に高さを要する複数の縦型の水耕栽培設備を備え、
前記縦型の水耕栽培設備の上部に沿って配置されたチューブ内に温水又は冷水を供給し、
前記チューブに沿って縦型の水耕栽培設備に養液供給手段から養液を供給する養液チューブを配設することを特徴とする縦型水耕栽培ハウスにおける空調方法。
【請求項１４】
ビニール、プラスチック、ガラス等の太陽光を透過する素材で覆った半閉鎖型のハウス内に高さを要する多段式ラック水耕栽培設備を備え、
前記多段式ラック水耕栽培設備の上部に沿って配置されたチューブ内に温水又は冷水を供給し、
前記チューブに沿って多段式ラック水耕栽培装設備に養液供給手段から養液を供給する養液チューブを配設することを特徴とする縦型水耕栽培ハウスにおける空調方法。
【発明の詳細な説明】
【技術分野】
【０００１】
本発明は、ビニール、プラスチック、ガラス等の太陽光を透過する素材で覆った半閉鎖型の太陽光による縦型水耕栽培ハウスにおける空調システム及び空調方法に関する。
【背景技術】
【０００２】
従来、半閉鎖型で太陽光利用の水耕栽培ハウスにおける空調システムとしては、特許文献１に記載の物が知られている。
この従来例の水耕栽培ハウスにおける空調システムは、水耕栽培設備を備えた閉鎖空間内に、エアコン（熱交換器）を備えることにより、養液及び閉鎖空間内の温度調整を行うようになっている。
【先行技術文献】
【特許文献】
【０００３】
【特許文献１】特開２０１６−１４０３０４号公報
【発明の概要】
【発明が解決しようとする課題】
【０００４】
しかしながら、縦型の水耕栽培システムを導入している半閉鎖型ビニールハウスにおいて、ハウス内の温度制御をエアコン（熱交換器）に依存することにより、膨大な電気エネルギーコストがかかることで、収支が悪化するという問題がある。
また、架台上の高い位置に設置された多数の縦型の水耕栽培設備を吊るす為の吊下パイプに沿って各縦型水耕栽培設備に養液を供給する養液チューブを設置することで、夏場においては、吊下パイプが太陽光により熱を持つため養液が必要以上に温まり、植物栽培に支障をきたすという問題がある。
また、一般的な土壌栽培においても、冬場に空調式の室温調整を行うことで一般的には重油や灯油を燃焼させ温風を送るが、そうすることによりハウス内が極度に乾燥することで栽培作物の光合成が促進しなくなり、育成障害を生じるという弊害が多発している。また、重油や灯油の燃焼により発生する排ガスによる弊害もある。
また、一般的な土壌栽培において、土壌に沿って配置されたパイプ内に温水又は冷水を供給することでハウス内の空調を行うものも存在したが、土壌が温められたり冷やされたりすることで湿気が発生するため、ハウス内の湿度が上昇してカビを増殖させ、病害の原因になるという問題点がある。
【０００５】
本発明の解決しようとする課題は、縦型水耕栽培ハウスの夏場における養液温度の上昇を防止することができると共に、縦型水耕栽培ハウス内の湿度に影響を与えることなしに暖房又は冷房効果を得ることができる縦型水耕栽培ハウスにおける空調システム及び空調方法を提供することにある。
【課題を解決するための手段】
【０００６】
上記課題を解決するため請求項１記載の縦型水耕栽培ハウスにおける空調システムは、ビニール、プラスチック、ガラス等の太陽光を透過する素材で覆った半閉鎖型のハウス内に高さを要する複数の縦型の水耕栽培設備を備え、
前記複数の縦型の水耕栽培設備は、架台上に配置された吊下パイプに吊下げられ、
前記吊下パイプに沿って各縦型の水耕栽培設備に養液供給手段から養液を供給する養液チューブが配設され、
前記吊下パイプ内に温水又は冷水が供給されていることを特徴とする。
【０００７】
請求２項記載の縦型水耕栽培ハウスにおける空調システムは、請求項１記載の水耕栽培ハウスにおける空調システムにおいて、
前記吊下パイプ内に供給される温水又は冷水の循環流路中に温水又は冷水の温度をコントロールするチラーが介挿されていることを特徴とする。
【０００８】
請求項３記載の縦型水耕栽培ハウスにおける空調システムは、請求項１又は２に記載の縦型水耕栽培ハウスにおける空調システムにおいて、
前記縦型の水耕栽培設備は、内部に培地を収容した縦長の筒体の少なくとも一側面に植物の苗を植え込むための垂直方向のスリット又は開口部を備えた複数の縦型水耕栽培筒で構成されていることを特徴とする。
【０００９】
請求項４記載の縦型水耕栽培ハウスにおける空調システムは、請求項３記載の縦型水耕栽培ハウスにおける空調システムにおいて、
前記縦型水耕栽培ハウスには、養液収容タンクと、該養液収容タンクから前記養液チューブを介して培地に養液を供給する養液供給手段と、培地に供給された養液を養液収容タンクに回収する養液回収手段と、を備えることを特徴とする。
【００１０】
請求項５記載の縦型水耕栽培ハウスにおける空調システムは、請求項３又は４に記載の縦型水耕栽培ハウスにおける空調システムにおいて、
前記培地は、保水性シートとその両面を挟み込んだ通気性素材とで構成され、前記縦型水耕栽培筒内に抜き差し可能に収容されていることを特徴とする。
【００１１】
請求項６記載の縦型水耕栽培ハウスにおける空調システムは、ビニール、プラスチック、ガラス等の太陽光を透過する素材で覆った半閉鎖型のハウス内の床面に高さを要する複数の縦型の水耕栽培設備を備え、
前記縦型の水耕栽培設備の上部に沿って配置されたチューブ内に温水又は冷水が供給され、
前記チューブに沿って縦型の水耕栽培設備に養液供給手段から養液を供給する養液チューブが配設されていることを特徴とする。
【００１２】
請求項７記載の縦型水耕栽培ハウスにおける空調システムは、ビニール、プラスチック、ガラス等の太陽光を透過する素材で覆った半閉鎖型のハウス内に高さを要する多段式ラック水耕栽培設備を備え、
前記多段式ラック水耕栽培設備の上部に沿って配置されたチューブ内に温水又は冷水が供給され、
前記チューブに沿って多段式ラック水耕栽培設備に養液供給手段から養液を供給する養液チューブが配設されていることを特徴とする。
【００１３】
請求項８記載の縦型水耕栽培ハウスにおける空調方法は、ビニール、プラスチック、ガラス等の太陽光を透過する素材で覆った半閉鎖型のハウス内に高さを要する複数の縦型の水耕栽培設備を備え、
前記複数の縦型の水耕栽培設備は、架台上に配置した吊下パイプに吊下げ、
前記吊下パイプに沿って各縦型の水耕栽培設備に養液を供給する養液チューブを配設し、
前記吊下パイプ内に温水又は冷水を供給することを特徴とする。
【００１４】
請求項９記載の縦型水耕栽培ハウスにおける空調方法は、請求項８記載の縦型水耕栽培ハウスにおける空調方法において、
前記吊下パイプ内に供給される温水又は冷水の循環流路中に温水又は冷水の温度をコントロールするチラーを介挿することを特徴とする。
【００１５】
請求項１０記載の縦型水耕栽培ハウスにおける空調方法は、請求項８又は９に記載の縦型水耕栽培ハウスにおける空調方法において、
前記縦型の水耕栽培設備は、内部に培地を収容した縦長の筒体の少なくとも一側面に植物の苗を植え込むための垂直方向のスリット又は開口部を備えた複数の縦型水耕栽培筒で構成することを特徴とする。
【００１６】
請求項１１記載の縦型水耕栽培ハウスにおける空調方法は、請求項１０記載の縦型水耕栽培ハウスにおける空調方法において、
前記縦型水耕栽培ハウスには、養液収容タンクと、該養液収容タンクから前記養液チューブを介して培地に養液を供給する養液供給手段と、培地に供給された養液を養液収容タンクに回収する養液回収手段と、を備えることを特徴とする。
【００１７】
請求項１２記載の縦型水耕栽培ハウスにおける空調方法は、請求項１０又は１１に記載の縦型水耕栽培ハウスにおける空調方法において、
前記培地５は、保水性シートとその両面を挟み込んだ通気性素材とで構成し、前記縦型水耕栽培筒内に抜き差し可能に収容することを特徴とする。
【００１８】
請求１３項記載の縦型水耕栽培ハウスにおける空調方法は、ビニール、プラスチック、ガラス等の太陽光を透過する素材で覆った半閉鎖型のハウス内の床面に高さを要する複数の縦型の水耕栽培設備を備え、
前記縦型の水耕栽培設備の上部に沿って配置されたチューブ内に温水又は冷水を供給し、
前記チューブに沿って縦型の水耕栽培設備に養液供給手段から養液を供給する養液チューブを配設することを特徴とする。
【００１９】
請求項１４記載の縦型水耕栽培ハウスにおける空調方法は、ビニール、プラスチック、ガラス等の太陽光を透過する素材で覆った半閉鎖型のハウス内に高さを要する多段式ラック水耕栽培設備を備え、
前記多段式ラック水耕栽培設備の上部に沿って配置されたチューブ内に温水又は冷水を供給し、
前記チューブに沿って多段式ラック水耕栽培装設備に養液供給手段から養液を供給する養液チューブを配設することを特徴とする。
【発明の効果】
【００２０】
本発明では、上述のように、架台上に配置された吊下パイプに沿って各縦型の水耕栽培設備に養液を供給する養液チューブを配設し、吊下パイプ内に温水又は冷水を供給することで、夏場における吊下パイプの温度上昇を防止し、これにより吊下パイプに沿って配置された養液チューブ内の養液温度上昇を防止することができる。
【００２１】
また、ハウス内の高い位置に配置される吊下パイプに温水又は冷水を供給することで、従来のように土壌に沿って配置される場合に比べ、ハウス内の湿度に影響を与えることなしに暖房又は冷房効果を得ることができるようになる。
【００２２】
また、温水は焼却炉の余った廃熱や地熱を利用し、冷水は地下水を利用できるため、ハウス内の温度制御をエアコン（熱交換器）で行う場合に比べ、ランニングコストの大幅な低減をはかることができる。
【００２３】
また、重油や灯油の燃焼による温風に比べ、ハウス内を極度に乾燥させることもないし、発生する排ガスによる弊害を生じさせることもない。
【図面の簡単な説明】
【００２４】
【図１】実施例１の縦型水耕栽培ハウスにおける空調システムを示す横断平面図である。
【図２】図１のＡ−Ａ線における拡大縦断面図である。
【図３】図１のＢ−Ｂ線における拡大縦断面図である。
【図４】図２のＣ部拡大図である。
【図５】図３の要部拡大図である。
【図６】縦型水耕栽培筒の培地への養液供給循環回路を示す概念図である。
【図７】図６のＤ−Ｄ線における拡大縦断面図である。
【発明を実施するための形態】
【００２５】
以下にこの発明の実施例を図面に基づいて説明する。
【実施例１】
【００２６】
まず、この実施例１の縦型水耕栽培ハウス１における空調システムを図面に基づいて説明する。
この実施例１における縦型水耕栽培ハウス１は、図１〜５に示すように、ビニール、プラスチック、ガラス等の太陽光を透過する素材で覆った半閉鎖型のハウス１内に高さを要する複数の縦型の水耕栽培設備を備えている。
前記複数の縦型の水耕栽培設備は、ハウス１内の架台２上に配置された鋼製の吊下パイプ３に吊下具３ａを介して所定間隔で吊下げられた状態で設けられている。
【００２７】
前記縦型の水耕栽培設備は、この実施例１では、図６、７に示すように、内部に培地５を収容した縦長の筒体の少なくとも一側面に植物の苗６を植え込むための垂直方向のスリット４ａ又は開口部を備えた縦型水耕栽培筒４で構成されている。
前記培地５は、保水性シート５ａとその両面を挟み込んだ通気性素材５ｂとで構成され、前記縦型水耕栽培筒４内に抜き差し可能に収容されている。また、培地５の上面には前記保水性シート５ａの上端面に当接する保水性シート５ｃが載置されている。
【００２８】
前記ハウス１内には、養液収容タンク７と、該養液収容タンク７から養液チューブ８を介して各縦型水耕栽培筒４の培地５に養液１０を供給する給液ポンプ（養液供給手段）９と、培地５に供給された養液１０を養液収容タンク７に回収する集水樋（養液回収手段）１１とを備え、培地５の下端部から滴下する養液１０を集水樋１１で受け止め、集水樋１１に溜まった養液１０は、集水循環路１３を介して養液収容タンク７に回収する。
前記養液収容タンク７は、この実施例１では集水樋１１よりは低い位置に設置され、集水樋１１内の養液１０は集水循環路１３を介して落差で養液収容タンク７内に回収される。
【００２９】
図１〜５に戻り、前記養液チューブ８は、鋼製の吊下パイプ３に沿って配置され、養液チューブ８から各縦型水耕栽培筒４に向けて分岐する分岐パイプ８ａから各培地５に養液１０が供給される。
分岐パイプ８ａのスポイド状の先端は、図４に示すように、まず、培地５の上面の保水性シート５ｃ上に配置され、養液１０を保水性シート５ｃに滴下し、保水性シート５ｃに滴下された養液１０は、保水性シート５ａに供給される。
【００３０】
なお、この実施例１では、給液ポンプ（養液供給手段）９として、水中ポンプが用いられ、養液１０の供給用と、養液収容タンク７内の養液攪拌用として機能させるようにしている。
【００３１】
実施例１の縦型水耕栽培ハウス１における空調システムでは、前記吊下パイプ３内に温水又は冷水が供給されることで、ハウス１内の空調が行われる。
【００３２】
なお、図において、１４は通路、１５は複数の吊下パイプ３、３間を接続する接続パイプ、１６は保温カーテン、１７は換気扇、１８は吸気シャッター、１９は養液調整機、２０は養液管理装置、２１はミスト発生装置、２２は制御盤、を示す。
【００３３】
次に、この実施例１の作用・効果を説明する。
本発明実施例１では、上述のように、架台２上に配置された鋼製の吊下パイプ３に沿って各縦型の水耕栽培設備に養液を供給する養液チューブ８を配設し、吊下パイプ３内に冷水を供給することで、夏場における吊下パイプ３の温度上昇を防止し、これにより吊下パイプ３に沿って配置された養液チューブ８内の養液温度上昇を防止することができる。
【００３４】
また、ハウス１内の高い位置に配置される吊下パイプ３に温水又は冷水を供給することで、従来のように土壌に沿って配置される場合に比べ、ハウス１内の湿度に影響を与えることなしに暖房又は冷房効果を得ることができるようになる。
【００３５】
また、温水は焼却炉の余った廃熱や地熱を利用し、冷水は地下水を利用できるため、ハウス１内の温度制御をエアコン（熱交換器）で行う場合に比べ、ランニングコストの大幅な低減をはかることができる。
【００３６】
また、重油や灯油の燃焼による温風に比べ、ハウス１内を極度に乾燥させることもないし、発生する排ガスによる弊害を生じさせることもない。
【００３７】
また、前記吊下パイプ３  内に供給される温水又は冷水の循環流路  中にチラー  が介挿されることで、温水又は冷水の温度をコントロールすることができる。
【００３８】
以上、発明の実施例を説明してきたが、本発明は上述の実施例に限られるものではなく、本発明の要旨を逸脱しない範囲の設計変更等があっても、本発明に含まれる。
【００３９】
例えば、実施例１では、温水の熱源としてボイラー１２が用いられるが、焼却炉の余った廃熱や地熱を利用することができる。
【００４０】
また、実施例１では、吊下パイプ３として鋼製のパイプを例にとって説明したが、鋼製以外でもよく、特に熱伝導率の高い素材でその効果を得ることができる。
【００４１】
また、実施例１では、給液ポンプ（養液供給手段）９として、水中ポンプを用いたが、養液チューブ８の途中に給液ポンプを設けてもよい、
また、実施例１では、前記養液収容タンク７を集水樋１１よりは低い位置に設置し、集水樋１１内の養液１０を落差で養液収容タンク７内に回収するようにしたが、養液収容タンク７を集水樋１１より高い位置に設置し、集水樋１１に溜まった養液１０を循環ポンプを用いて養液収容タンク７に回収するようにしてもよい。
【００４２】
また、実施例１では、半閉鎖型のハウス内に高さを要する複数の縦型の水耕栽培設備を備え、複数の縦型の水耕栽培設備は、架台上に配置された吊下パイプに吊下げられた例を示したが、縦型の水耕栽培設備はハウスの床面に立設させてもよい。
【００４３】
また、実施例１では、半閉鎖型のハウス内に高さを要する複数の縦型の水耕栽培設備を備え、複数の縦型の水耕栽培設備は、架台上に配置された吊下パイプに吊下げられ、内部に培地を収容した縦長の筒体の少なくとも一側面に植物の苗を植え込むための垂直方向のスリット又は開口部を備えた複数の縦型水耕栽培筒４で構成されたものを例にとって説明したが、半閉鎖型のハウス内に設置された多段式ラック水耕栽培設備の上部に沿って配置されたチューブ内に温水又は冷水を供給し、チューブに沿って多段式ラック水耕栽培装設備に養液供給手段から養液を供給する養液チューブを配設するようにしてもよい。
【符号の説明】
【００４４】
１  ハウス
２  架台
３  吊下パイプ
３ａ  吊下具
４  縦型水耕栽培筒
４ａ  スリット
５  培地
５ａ  保水性シート
５ｂ  通気性素材
５ｃ  保水性シート
６  植物の苗
７  養液収容タンク
８  養液チューブ
８ａ  分岐パイプ
９  給液ポンプ（養液供給手段）
１０  養液
１１  集水樋（養液回収手段）
１２  ボイラー（温水熱源）
１３  集水循環路
１４  通路
１５  接続パイプ
１６  保温カーテン
１７  換気扇
１８  吸気シャッター
１９  養液調整機
２０  養液管理装置
２１  ミスト発生装置
２２  制御盤
【図１】
2020048452.tif 000003
【図２】
2020048452.tif 000004
【図３】
2020048452.tif 000005
【図４】
2020048452.tif 000006
【図５】
2020048452.tif 000007
【図６】
2020048452.tif 000008
【図７】
2020048452.tif 000009
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
ビニール、プラスチック、ガラス等の太陽光を透過する素材で覆った水耕栽培ハウス内に複数の縦型水耕栽培設備を備え、
前記複数の縦型水耕栽培設備は、架台上に配置された鋼製の吊下パイプに吊下げられ、
前記鋼製の吊下パイプに沿って各縦型水耕栽培設備に養液供給手段から養液を供給する養液チューブが配設され、
前記吊下パイプ内に温水又は冷水が供給されていることを特徴とする縦型水耕栽培ハウスにおける空調システム。
【請求項２】
請求項１記載の縦型水耕栽培ハウスにおける空調システムにおいて、
前記吊下パイプ内に供給される温水又は冷水の循環流路中に温水又は冷水の温度をコントロールするチラーが介挿されていることを特徴とする縦型水耕栽培ハウスにおける空調システム。
【請求項３】
請求項１又は２に記載の縦型水耕栽培ハウスにおける空調システムにおいて、
前記縦型水耕栽培設備は、内部に培地を収容した縦長の筒体の少なくとも一側面に植物の苗を植え込むための垂直方向のスリット又は開口部を備えた複数の縦型水耕栽培筒で構成されていることを特徴とする縦型水耕栽培ハウスにおける空調システム。
【請求項４】
請求項３記載の縦型水耕栽培ハウスにおける空調システムにおいて、
前記縦型水耕栽培ハウスには、養液収容タンクと、該養液収容タンクから前記養液チューブを介して培地に養液を供給する養液供給手段と、培地に供給された養液を養液収容タンクに回収する養液回収手段と、を備えることを特徴とする縦型水耕栽培ハウスにおける空調システム。
【請求項５】
請求項３又は４に記載の縦型水耕栽培ハウスにおける空調システムにおいて、
前記培地は、保水性シートとその両面を挟み込んだ通気性素材とで構成され、前記縦型水耕栽培筒内に抜き差し可能に収容されていることを特徴とする縦型水耕栽培ハウスにおける空調システム。
【請求項６】
ビニール、プラスチック、ガラス等の太陽光を透過する素材で覆った水耕栽培ハウス内に複数の縦型水耕栽培設備を備え、
前記複数の縦型水耕栽培設備は、架台上に配置した鋼製の吊下パイプに吊下げ、
前記鋼製の吊下パイプに沿って各縦型水耕栽培設備に養液を供給する養液チューブを配設し、
前記吊下パイプ内に温水又は冷水を供給することを特徴とする縦型水耕栽培ハウスにおける空調方法。
【請求項７】
請求項６記載の縦型水耕栽培ハウスにおける空調方法において、
前記吊下パイプ内に供給される温水又は冷水の循環流路中に温水又は冷水の温度をコントロールするチラーを介挿することを特徴とする縦型水耕栽培ハウスにおける空調方法。
【請求項８】
請求項６又は７に記載の縦型水耕栽培ハウスにおける空調方法において、
前記縦型水耕栽培設備は、内部に培地を収容した縦長の筒体の少なくとも一側面に植物の苗を植え込むための垂直方向のスリット又は開口部を備えた複数の縦型水耕栽培筒で構成することを特徴とする縦型水耕栽培ハウスにおける空調方法。
【請求項９】
請求項８記載の縦型水耕栽培ハウスにおける空調方法において、
前記縦型水耕栽培ハウスには、養液収容タンクと、該養液収容タンクから前記養液チューブを介して培地に養液を供給する養液供給手段と、培地に供給された養液を養液収容タンクに回収する養液回収手段と、を備えることを特徴とする縦型水耕栽培ハウスにおける空調方法。
【請求項１０】
請求項８又は９に記載の縦型水耕栽培ハウスにおける空調方法において、
前記培地５は、保水性シートとその両面を挟み込んだ通気性素材とで構成し、前記縦型水耕栽培筒内に抜き差し可能に収容することを特徴とする縦型水耕栽培ハウスにおける空調方法。
【手続補正２】
【補正対象書類名】明細書
【補正対象項目名】０００６
【補正方法】変更
【補正の内容】
【０００６】
上記課題を解決するため請求項１記載の縦型水耕栽培ハウスにおける空調システムは、ビニール、プラスチック、ガラス等の太陽光を透過する素材で覆った水耕栽培ハウス内に複数の縦型水耕栽培設備を備え、
前記複数の縦型水耕栽培設備は、架台上に配置された鋼製の吊下パイプに吊下げられ、
前記鋼製の吊下パイプに沿って各縦型水耕栽培設備に養液供給手段から養液を供給する養液チューブが配設され、
前記吊下パイプ内に温水又は冷水が供給されていることを特徴とする。
【手続補正３】
【補正対象書類名】明細書
【補正対象項目名】００１１
【補正方法】変更
【補正の内容】
【００１１】
請求項６記載の縦型水耕栽培ハウスにおける空調方法は、ビニール、プラスチック、ガラス等の太陽光を透過する素材で覆った水耕栽培ハウス内に複数の縦型水耕栽培設備を備え、
前記複数の縦型水耕栽培設備は、架台上に配置した鋼製の吊下パイプに吊下げ、
前記鋼製の吊下パイプに沿って各縦型水耕栽培設備に養液を供給する養液チューブを配設し、
前記吊下パイプ内に温水又は冷水を供給することを特徴とする。
【手続補正４】
【補正対象書類名】明細書
【補正対象項目名】００２２
【補正方法】変更
【補正の内容】
【００２２】
まず、この実施例１の縦型水耕栽培ハウス１における空調システムを図面に基づいて説明する。
この実施例１における縦型水耕栽培ハウス１は、図１〜５に示すように、ビニール、プラスチック、ガラス等の太陽光を透過する素材で覆った水耕栽培ハウス１内に複数の縦型水耕栽培設備を備えている。
前記複数の縦型水耕栽培設備は、ハウス１内の架台２上に配置された鋼製の吊下パイプ３に吊下具３ａを介して所定間隔で吊下げられた状態で設けられている。